(57)【要約】【課題】吹き出し空気の温湿度制御の範囲が広く、冷暖運転に対応可能な外気処理装置を搭載した空気調和装置及びその制御方法を提供する。【解決手段】空気調和装置Ａは、外気処理ユニット１００において、第１外気処理熱交換器６ａが第２外気処理熱交換器６ｂよりも風上側に配置され、第１外気処理熱交換器６ａと第２外気処理熱交換器６ｂとの中間に第１流量調整装置１０ａが設けられ、第２外気処理熱交換器６ｂをバイパスする第１バイパス配管７に第１流量調整装置１０ａと並列となるように第２流量調整装置１０ｂが設けられ、第１外気処理熱交換器６ａと第１流量調整装置１０ａ及び第２流量調整装置１０ｂとの間に第３流量調整装置１０ｃが設けられている。【選択図】図１
2010203685.tif 000002
【特許請求の範囲】
【請求項１】
圧縮機、室外熱交換器、及び、アキュムレーターが搭載された室外ユニットと、
第１外気処理熱交換器、及び、第２外気処理熱交換器が搭載された外気処理ユニットと、を有し、
前記圧縮機、前記室外熱交換器、前記第１外気処理熱交換器、前記第２外気処理熱交換器、及び、前記アキュムレーターが直列に接続されて冷凍サイクルを形成しており、
前記外気処理ユニットにおいて、
前記第１外気処理熱交換器が前記第２外気処理熱交換器よりも送風機により取り込む空気の流れ上流側に配置され、
前記第１外気処理熱交換器と前記第２外気処理熱交換器との中間に第１流量調整装置が設けられ、
前記第２外気処理熱交換器をバイパスする第１バイパス配管に前記第１流量調整装置と並列となるように第２流量調整装置が設けられ、
前記第１外気処理熱交換器と前記第１流量調整装置及び前記第２流量調整装置との間に第３流量調整装置が設けられている
ことを特徴とする空気調和装置。
【請求項２】
前記室外熱交換器を第１凝縮器、前記第１外気処理熱交換器を蒸発器、前記第２外気処理熱交換器を第２凝縮器として機能させ、
前記第１流量調整装置及び前記第２流量調整装置の開度比率で、前記第２外気処理熱交換器の加熱能力を調整可能にしている
ことを特徴とする請求項１に記載の空気調和装置。
【請求項３】
前記第１外気処理熱交換器を凝縮器、前記第２外気処理熱交換器を第１蒸発器、前記室外熱交換器を第２蒸発器として機能させ、
前記第１流量調整装置及び前記第２流量調整装置の開度比率で、前記第２外気処理熱交換器の冷却能力を調整可能にしている
ことを特徴とする請求項１に記載の空気調和装置。
【請求項４】
前記第３流量調整装置の開度により前記第３流量調整装置の手前における冷媒の過冷却度を制御することによって、前記第１外気処理熱交換器の出口空気の温度及び湿度の少なくともいずれか１つを調整している
ことを特徴とする請求項２又は３に記載の空気調和装置。
【請求項５】
前記第１外気処理熱交換器をバイパスする第２バイパス配管と、
前記第２バイパス配管に設けられる第４流量調整装置と、を設けた
ことを特徴とする請求項１〜４のいずれか一項に記載の空気調和装置。
【請求項６】
前記第４流量調整装置の開度によって、前記第１外気処理熱交換器の出口空気の温度及び湿度の少なくともいずれかを調整している
ことを特徴とする請求項５に記載の空気調和装置。
【請求項７】
室内熱交換器及び室内流量調整装置を搭載した室内ユニットを、前記室内熱交換器が前記第１外気処理熱交換器と並列となるように接続している
ことを特徴とする請求項１〜６のいずれか一項に記載の空気調和装置。
【請求項８】
圧縮機、室外熱交換器、及び、アキュムレーターが搭載された室外ユニットと、第１外気処理熱交換器、及び、第２外気処理熱交換器が搭載された外気処理ユニットと、を有し、前記圧縮機、前記室外熱交換器、前記第１外気処理熱交換器、前記第２外気処理熱交換器、及び、前記アキュムレーターが直列に接続されて冷凍サイクルを形成しており、前記外気処理ユニットにおいて、前記第１外気処理熱交換器が前記第２外気処理熱交換器よりも送風機により取り込む空気の流れ上流側に配置され、前記第１外気処理熱交換器と前記第２外気処理熱交換器との中間に第１流量調整装置が設けられ、前記第２外気処理熱交換器をバイパスする第１バイパス配管に前記第１流量調整装置と並列となるように第２流量調整装置が設けられ、前記第１外気処理熱交換器と前記第１流量調整装置及び前記第２流量調整装置との間に第３流量調整装置が設けられている空気調和装置の制御方法であって、
前記室外熱交換器、前記第２外気処理熱交換器、前記第１外気処理熱交換器の順に冷媒が流れるように冷媒流路を形成し、前記室外熱交換器を第１凝縮器、前記第１外気処理熱交換器を蒸発器、前記第２外気処理熱交換器を第２凝縮器として機能させるとともに、前記第１流量調整装置及び前記第２流量調整装置の開度比率を制御することによって、前記第２外気処理熱交換器の加熱能力を調整する
ことを特徴とする空気調和装置の制御方法。
【請求項９】
圧縮機、室外熱交換器、及び、アキュムレーターが搭載された室外ユニットと、第１外気処理熱交換器、及び、第２外気処理熱交換器が搭載された外気処理ユニットと、を有し、前記圧縮機、前記室外熱交換器、前記第１外気処理熱交換器、前記第２外気処理熱交換器、及び、前記アキュムレーターが直列に接続されて冷凍サイクルを形成しており、前記外気処理ユニットにおいて、前記第１外気処理熱交換器が前記第２外気処理熱交換器よりも送風機により取り込む空気の流れ上流側に配置され、前記第１外気処理熱交換器と前記第２外気処理熱交換器との中間に第１流量調整装置が設けられ、前記第２外気処理熱交換器をバイパスする第１バイパス配管に前記第１流量調整装置と並列となるように第２流量調整装置が設けられ、前記第１外気処理熱交換器と前記第１流量調整装置及び前記第２流量調整装置との間に第３流量調整装置が設けられている空気調和装置の制御方法であって、
前記第１外気処理熱交換器、前記第２外気処理熱交換器、前記室外熱交換器の順に冷媒が流れるように冷媒流路を形成し、前記第１外気処理熱交換器を凝縮器、前記第２外気処理熱交換器を第１蒸発器、前記室外熱交換器を第２蒸発器として機能させるとともに、前記第１流量調整装置及び前記第２流量調整装置の開度比率を制御することによって、前記第２外気処理熱交換器の冷却能力を調整する
ことを特徴とする空気調和装置の制御方法。
【請求項１０】
前記第１流量調整装置の開度を全閉、前記第２流量調整装置の開度を全開とすることによって、前記第２外気処理熱交換器の空調能力を最小に制御する
ことを特徴とする請求項８又は９に記載の空気調和装置の制御方法。
【請求項１１】
前記第１流量調整装置の開度を全開、前記第２流量調整装置の開度を全閉とすることによって、前記第２外気処理熱交換器の空調能力を最大に制御する
ことを特徴とする請求項８又は９に記載の空気調和装置の制御方法。
【請求項１２】
前記第２流量調整装置の開度を全開、前記第１流量調整装置の開度を次第に大きくするようにし、前記第１流量調整装置の開度が全開になった後、前記第１流量調整装置の開度を全開で固定し、前記第２流量調整装置の開度を次第に小さくするように制御し、前記第２の外気処理熱交換器の空調能力を調整する
ことを特徴とする請求項８又は９に記載の空気調和装置の制御方法。
【発明の詳細な説明】
【技術分野】
【０００１】
本発明は、外気を導入する際に温湿度を調整可能な外気処理装置を搭載した空気調和装置及びその制御方法に関するものである。
【背景技術】
【０００２】
従来から、吹き出し空気の温度を制御可能にした空気調和装置が存在する。そのようなものとして、副凝縮器と蒸発器を有し、空気を副凝縮器、蒸発器の順番で流し、蒸発器にはバイパス回路を設け、蒸発器を流れる冷媒の流量を調整することで吹出し空気の温度を調整するようにした空気調和装置が提案されている（たとえば、特許文献１参照）。
【０００３】
また、蒸発器と第２の凝縮器を有し、空気を蒸発器、第２の凝縮器の順番で流し、凝縮器にはバイパス回路を設け、凝縮器に冷媒を流す、流さないの開閉により吹出し空気の温度を調整するようにした空気調和装置が提案されている（たとえば、特許文献２参照）。
【先行技術文献】
【特許文献】
【０００４】
【特許文献１】特開昭５９−１２２６０号公報（第２頁、第１図）
【特許文献２】特開昭６２−２９３０４０号公報（第３頁、第１図）
【発明の概要】
【発明が解決しようとする課題】
【０００５】
特許文献１に記載されているような技術では、冷凍サイクルの最下流に位置する蒸発器をバイパスする構成としているが、アキュムレーターを備えていないため、バイパス調整可変量が小さく、吹き出し空気の温度制御の自由度が低いという課題があった。また、暖房運転時における吹き出し空気の温度制御の対応については考えられていなかった。
【０００６】
特許文献２に記載されているような技術では、凝縮器に冷媒を流す、流さないの開閉のみ、つまり加熱回路のオン・オフのみによって、吹出し空気の温度を調整するようしているため、吹き出し空気の温湿度を任意に制御することができないという課題があった。また、特許文献１に記載の技術と同様に、暖房運転時における吹き出し空気の温度制御の対応については考えられていなかった。
【０００７】
本発明は、上記のような課題を解決するためになされたもので、吹き出し空気の温湿度制御の範囲が広く、冷暖運転に対応可能な外気処理装置を搭載した空気調和装置及びその制御方法を提供することを目的としている。
【課題を解決するための手段】
【０００８】
本発明に係る空気調和装置は、圧縮機、室外熱交換器、及び、アキュムレーターが搭載された室外ユニットと、第１外気処理熱交換器、及び、第２外気処理熱交換器が搭載された外気処理ユニットと、を有し、前記圧縮機、前記室外熱交換器、前記第１外気処理熱交換器、前記第２外気処理熱交換器、及び、前記アキュムレーターが直列に接続されて冷凍サイクルを形成しており、前記外気処理ユニットにおいて、前記第１外気処理熱交換器が前記第２外気処理熱交換器よりも送風機により取り込む空気の流れ上流側に配置され、前記第１外気処理熱交換器と前記第２外気処理熱交換器との中間に第１流量調整装置が設けられ、前記第２外気処理熱交換器をバイパスする第１バイパス配管に前記第１流量調整装置と並列となるように第２流量調整装置が設けられ、前記第１外気処理熱交換器と前記第１流量調整装置及び前記第２流量調整装置との間に第３流量調整装置が設けられていることを特徴とする。
【０００９】
本発明に係る空気調和装置の制御方法は、圧縮機、室外熱交換器、及び、アキュムレーターが搭載された室外ユニットと、第１外気処理熱交換器、及び、第２外気処理熱交換器が搭載された外気処理ユニットと、を有し、前記圧縮機、前記室外熱交換器、前記第１外気処理熱交換器、前記第２外気処理熱交換器、及び、前記アキュムレーターが直列に接続されて冷凍サイクルを形成しており、前記外気処理ユニットにおいて、前記第１外気処理熱交換器が前記第２外気処理熱交換器よりも送風機により取り込む空気の流れ上流側に配置され、前記第１外気処理熱交換器と前記第２外気処理熱交換器との中間に第１流量調整装置が設けられ、前記第２外気処理熱交換器をバイパスする第１バイパス配管に前記第１流量調整装置と並列となるように第２流量調整装置が設けられ、前記第１外気処理熱交換器と前記第１流量調整装置及び前記第２流量調整装置との間に第３流量調整装置が設けられている空気調和装置の制御方法であって、前記室外熱交換器、前記第２外気処理熱交換器、前記第１外気処理熱交換器の順に冷媒が流れるように冷媒流路を形成し、前記室外熱交換器を第１凝縮器、前記第１外気処理熱交換器を蒸発器、前記第２外気処理熱交換器を第２凝縮器として機能させるとともに、前記第１流量調整装置及び前記第２流量調整装置の開度比率を制御することによって、前記第２外気処理熱交換器の加熱能力を調整することを特徴とする。
【００１０】
本発明に係る空気調和装置の制御方法は、圧縮機、室外熱交換器、及び、アキュムレーターが搭載された室外ユニットと、第１外気処理熱交換器、及び、第２外気処理熱交換器が搭載された外気処理ユニットと、を有し、前記圧縮機、前記室外熱交換器、前記第１外気処理熱交換器、前記第２外気処理熱交換器、及び、前記アキュムレーターが直列に接続されて冷凍サイクルを形成しており、前記外気処理ユニットにおいて、前記第１外気処理熱交換器が前記第２外気処理熱交換器よりも送風機により取り込む空気の流れ上流側に配置され、前記第１外気処理熱交換器と前記第２外気処理熱交換器との中間に第１流量調整装置が設けられ、前記第２外気処理熱交換器をバイパスする第１バイパス配管に前記第１流量調整装置と並列となるように第２流量調整装置が設けられ、前記第１外気処理熱交換器と前記第１流量調整装置及び前記第２流量調整装置との間に第３流量調整装置が設けられている空気調和装置の制御方法であって、前記第１外気処理熱交換器、前記第２外気処理熱交換器、前記室外熱交換器の順に冷媒が流れるように冷媒流路を形成し、前記第１外気処理熱交換器を凝縮器、前記第２外気処理熱交換器を第１蒸発器、前記室外熱交換器を第２蒸発器として機能させるとともに、前記第１流量調整装置及び前記第２流量調整装置の開度比率を制御することによって、前記第２外気処理熱交換器の冷却能力を調整することを特徴とする。
【発明の効果】
【００１１】
本発明に係る空気調和装置及びその制御方法によれば、凝縮器と蒸発器に挟まれる中間熱交換器（第２外気処理熱交換器）にバイパス回路を設けることで、冷房及び暖房に対応可能な吹出空気の温湿度制御が可能となる。
【図面の簡単な説明】
【００１２】
【図１】空気調和装置Ａの冷房モード時における冷媒の流れを示す冷媒回路図である。
【図２】空気調和装置Ａの暖房モード時における冷媒の流れを示す冷媒回路図である。
【図３】外気処理ユニットの構成例を示す概略図である。
【図４】空気調和装置Ａが実行する制御処理の流れを示すフローチャートである。
【図５】流量調整装置と空調能力との関係を示すグラフである。
【図６】空気調和装置Ｂに室内ユニットを追加した回路構成における冷房モード時の冷媒の流れを示す冷媒回路図である。
【図７】空気調和装置Ｂの冷房モード時における冷媒の流れを示す冷媒回路図である。
【図８】空気調和装置Ｂの暖房モード時における冷媒の流れを示す冷媒回路図である。
【図９】空気調和装置Ｂが実行する制御処理の流れを示すフローチャートである。
【発明を実施するための形態】
【００１３】
以下、本発明の実施の形態を図面に基づいて説明する。
実施の形態１．
図１は、空気調和装置Ａの冷房モード時における冷媒の流れを示す冷媒回路図である。図２は、空気調和装置Ａの暖房モード時における冷媒の流れを示す冷媒回路図である。図３は、外気処理ユニット１００の構成例を示す概略図である。図１〜図３に基づいて、本発明の実施の形態１に係る空気調和装置Ａ及び外気処理ユニット１００の構成及び作用について説明する。なお、図１を含め、以下の図面では各構成部材の大きさの関係が実際のものとは異なる場合がある。
【００１４】
［空気調和装置Ａのシステム構成］
この空気調和装置Ａは、ビルやマンション等に設置され、冷媒を循環させる冷凍サイクルを利用することで冷房モード又は暖房モードを実行するものである。図１及び図２に示すように、空気調和装置Ａは、室外ユニット９９及び外気処理ユニット１００の２つのユニットと、これらのユニットを接続する延長配管４と、を搭載している。室外ユニット９９は、外気処理ユニット１００に冷熱を供給する機能を有している。外気処理ユニット１００は、吹き出し空気の温湿度制御が可能な外気処理装置であり、外気を取り込み、その外気を冷房空気又は暖房空気として室内等の空調対象域に供給する機能を有している。
【００１５】
［室外ユニット９９］
室外ユニット９９には、圧縮機１と、アキュムレーター２と、冷媒流通方向を切り換える流路切替手段である四方弁３と、室外熱交換器５と、が搭載されており、それらが直列に延長配管４で配管接続されている。なお、図１では四方弁３が圧縮機１から吐出された高温・高圧の冷媒を室外熱交換器５に流入するように切り替えられている状態を、図２では四方弁３が圧縮機１から吐出された高温・高圧の冷媒を外気処理ユニット１００の第１外気処理熱交換器６ａに流入するように切り替えられている状態を、それぞれ図示している。
【００１６】
圧縮機１は、冷媒を吸入し、その冷媒を圧縮して高温・高圧の状態にするものである。圧縮機１を、たとえば容量制御可能なインバーター圧縮機で構成すれば、運転周波数を任意に設定することが可能になる。アキュムレーター２は、運転状態によって発生する余剰冷媒を貯留するためのものである。四方弁３は、暖房モード時における冷媒の流れと冷房モード時における冷媒の流れとを切り替えるものである。室外熱交換器５は、暖房モード時には蒸発器として、冷房モード時には凝縮器（第１凝縮器）として機能し、図示省略のファン等の送風機から供給される空気と冷媒との間で熱交換を行ない、その冷媒を蒸発ガス化又は凝縮液化するものである。室外熱交換器５は、送風機から供給される空気を熱交換器に通過させ、熱交換器内を流れる冷媒との間で熱交換が可能な構成になっている。
【００１７】
［外気処理ユニット１００］
外気処理ユニット１００には、第１外気処理熱交換器６ａと、第２外気処理熱交換器６ｂと、流量調整装置（第１流量調整装置）１０ａと、流量調整装置（第３流量調整装置）１０ｃと、が搭載されており、それらが直列に延長配管４で配管接続されている。また、外気処理ユニット１００には、第２外気処理熱交換器６ｂをバイパスするバイパス配管７が設けられており、このバイパス配管７に流量調整装置１０ａと並列となるように流量調整装置（第２流量調整装置）１０ｂが設けられている。さらに、外気処理ユニット１００には、送風機４０（図３で図示している）が設けられている。
【００１８】
図３に示すように、送風機４０は、外気処理ユニット１００内における第１外気処理熱交換器６ａの近傍、つまり第１外気処理熱交換器６ａ及び第２外気処理熱交換器６ｂの風路上流側に送風機４０が設けられている。この送風機４０は、室外から外気ＯＡを吸込み、第１外気処理熱交換器６ａ、第２外気処理熱交換器６ｂの順で構成される風路に送風を行ない、第２外気処理熱交換器６ｂを通過した空気を供給空気ＳＡとして空調対象域に吹き出すようになっている。すなわち、外気処理ユニット１００は、外気ＯＡの温度及び湿度を第１外気処理熱交換器６ａ及び第２外気処理熱交換器６ｂにより調整して、目標の温湿度としたのちに供給空気ＳＡとして空調対象域へ吹き出すことが可能になっている。
【００１９】
第１外気処理熱交換器６ａは、暖房運転時には凝縮器として、冷房運転時には蒸発器として機能させる。第２外気処理熱交換器６ｂは、暖房運転時には蒸発器として、冷房運転時には凝縮器（第２凝縮器）として機能させる。第１外気処理熱交換器６ａ及び第２外気処理熱交換器６ｂは、送風機４０から供給される外気ＯＡと冷媒との間で熱交換を行ない、空調対象域に供給するための供給空気ＳＡを作成するものである。第１外気処理熱交換器６ａが外気処理ユニット１００内における風路上流側（風上側）に、第２外気処理熱交換器６ｂが外気処理ユニット１００内における風路下流側に、それぞれ配置されている。
【００２０】
流量調整装置１０ａ、流量調整装置１０ｂ、及び、流量調整装置１０ｃは、減圧弁や膨張弁としての機能を有し、冷媒を減圧して膨張させるものであり、開度が可変に制御可能なもの、たとえば電子式膨張弁などで構成するとよい。流量調整装置１０ａは、冷房モード時の冷媒流通方向における第２外気処理熱交換器６ｂの出口側に設けられている。流量調整装置１０ｂは、上述したようにバイパス配管７に設けられている。流量調整装置１０ｃは、冷房モード時の冷媒流通方向における第１外気処理熱交換器６ａの入口側に設けられている。バイパス配管７は、流量調整装置１０ａと流量調整装置１０ｃとの間の延長配管４と、第２外気処理熱交換器６ｂの流量調整装置１０ａが設けられていない側の延長配管４と、を接続し、第２外気処理熱交換器６ｂを迂回可能に設けられている。
【００２１】
また、空気調和装置Ａには、機器制御のために必要となる各種センサーが設けられている。外気温度センサー２０ａは、外気処理ユニット１００の外気取込口近傍等に設置され、外気処理ユニット１００に導入される外気ＯＡの空気温度を測定するものである。通過空気温度センサー２０ｂは、第１外気処理熱交換器６ａと第２外気処理熱交換器６ｂとの中間に位置する風路に設置され、この位置における空気の温度を測定するものである。吹出温度センサー２０ｃは、第２外気処理熱交換器６ｂの風下側に設置され、第２外気処理熱交換器６ｂを通過し、室内へ吹き出す空気の温度を測定するものである。
【００２２】
外気湿度センサー３０ａは、外気処理ユニット１００の外気取込口近傍等に設置され、外気処理ユニット１００に導入される外気ＯＡの空気湿度を測定するものである。吹出湿度センサー３０ｂは、第２外気処理熱交換器６ｂの風下側に設置され、第２外気処理熱交換器６ｂを通過し、室内へ吹き出す空気の湿度を測定するものである。なお、湿度センサー（外気湿度センサー３０ａ及び吹出湿度センサー３０ｂ）とは、相対湿度、絶対湿度、露点、空気エンタルピー等の湿度に関する情報を取得可能なセンサーを表わしている。また、空気温度とこれらの情報からその他の情報をコンピューター等で演算して湿度を出力する方式を採用してもよい（たとえば、空気温度と相対湿度との関係式により露点を求め出力する等）。
【００２３】
第１冷媒温度センサー２１ａは、第１外気処理熱交換器６ａ内における中間付近に設置され、この位置における配管温度（つまり、配管内を流れている冷媒温度）を測定するものである。第２冷媒温度センサー２１ｂは、流量調整装置１０ｃと第１外気処理熱交換器６ｂとの間に設置され、第１外気処理熱交換器６ａの冷房時入口側の配管温度を測定するものである。第３冷媒温度センサー２１ｃは、冷房運転時における流量調整装置１０ｃの上流側に設置され、流量調整装置１０ｃの冷房時入口側の配管温度を測定するものである。
【００２４】
第４冷媒温度センサー２１ｄは、第２外気処理熱交換器６ｂ内における中間付近に設置され、この位置における配管温度を測定するものである。第５冷媒温度センサー２１ｅは、冷房運転時における第２外気処理熱交換器６ｂの入口側に設置され、第２外気処理熱交換器６ｂの冷房時入口側の配管温度を測定するものである。第６冷媒温度センサー２１ｆは、室外熱交換器５内における中間付近に設置され、この位置における配管温度を測定するものである。第７冷媒温度センサー２１ｇは、圧縮機１の吐出側に設置され、圧縮機１の出口側の配管温度を測定するものである。
【００２５】
これらのセンサーは、空気調和装置Ａを制御する図示省略の制御基板（たとえば、コンピューター（演算装置）、記憶装置、及び、電源等で構成されている制御装置）に有線又は無線で接続されている。つまり、各種センサーで測定された情報（空気温度情報、空気湿度情報、及び、冷媒温度情報）がデータとして制御基板に送られるようになっている。そして、制御基板では、取り込んだ情報に基づいて、制御アルゴリズムに従う演算処理を行ない、各制御機器（圧縮機１、四方弁３、室外熱交換器５に付属する送風機、送風機４０、流量調整装置１０ａ、流量調整装置１０ｂ、及び、流量調整装置１０ｃ）の駆動を制御し、空気調和装置Ａ全体の運転制御を実行するようになっている（図４及び図５で詳細に説明する）。
【００２６】
［空気調和装置Ａが実行する冷房モード］
空気調和装置Ａが実行する冷房モードでは、室外熱交換器５を第１凝縮器、第２外気処理熱交換器６ｂを第２凝縮器、第１外気処理熱交換器６ａを蒸発器として機能させる。空気調和装置Ａの外気処理ユニット１００では、第２凝縮器として機能させる第２外気処理熱交換器６ｂには流量調整装置１０ｂを介してバイパス配管７が設けられているため、このバイパス配管７を導通させる冷媒流量を調整することにより凝縮能力、すなわち加熱能力を調整することが可能になっている。以下、冷媒の流れ（図１に示す矢印）とともに詳しく説明する。
【００２７】
冷房モードでは、四方弁３が、圧縮機１の出口側（吐出側）と室外熱交換器５とを接続する方向に設定される。冷媒が圧縮機１によって圧縮され、高温・高圧のガス冷媒となって吐出される。圧縮機１から吐出された高温・高圧のガス冷媒は、四方弁３を通り、第１凝縮器として機能する室外熱交換器５に流入する。室外熱交換器５に流入したガス冷媒は、室外熱交換器５で室外空気に放熱しながら凝縮し、高温・高圧の気液二相冷媒となり、室外熱交換器５から流出する。
【００２８】
室外熱交換器５から流出した気液二相冷媒の一部は、延長配管４を経て、第２凝縮器として機能する第２外気処理熱交換器６ｂに流入する。また、流量調整装置１０ｂの開度が０でなければ、室外熱交換器５から流出した気液二相冷媒の残りの一部は、延長配管４を経て、バイパス配管７を流れ、流量調整装置１０ｂに至る。第２外気処理熱交換器６ｂに流入した気液二相冷媒は、第２外気処理熱交換器６ｂで送風機４０から供給される外気ＯＡに放熱しながら凝縮液化し、第２外気処理熱交換器６ｂから流出する。第２外気処理熱交換器６ｂから流出した液冷媒は、流量調整装置１０ａに至る。
【００２９】
ここで、外気処理ユニット１００では、第２外気処理熱交換器６ｂを通過する冷媒流量とバイパス配管７を流れる冷媒流量との比率を、流量調整装置１０ａ及び流量調整装置１０ｂの開度比率により調整することができるようになっている。したがって、外気処理ユニット１００においては、第２外気処理熱交換器６ｂの凝縮能力を任意の所望の能力に調整することが可能となる。そして、流量調整装置１０ａ及び流量調整装置１０ｂから流出した冷媒は、合流して流量調整装置１０ｃへと至る。
【００３０】
流量調整装置１０ｃに到達した冷媒は、流量調整装置１０ｃで減圧されて低圧の二相冷媒となって流量調整装置１０ｃから流出する。この低圧の二相冷媒は、蒸発器として機能する第１外気処理熱交換器６ａに流入する。流量調整装置１０ｃの開度によって、第１外気処理熱交換器６ａに流入する低圧の二相冷媒の流量を調整することが可能になっている。第１外気処理熱交換器６ａに流入した冷媒は、送風機４０から供給される外気ＯＡから吸熱することで、外気ＯＡを冷却しながら、低圧ガス化し、第１外気処理熱交換器６ａから流出する。
【００３１】
第１外気処理熱交換器６ａから流出した低圧のガス冷媒は、延長配管４を流れ、四方弁３及びアキュムレーター２を経て圧縮機１へ戻る。ここで、アキュムレーター２へ流入する冷媒が、ガス状態ではなく二相の場合には、液冷媒とガス冷媒とが分離される。そして、分離された液冷媒がアキュムレーター２内に溜り、分離されたガス冷媒が圧縮機１へ戻ることになる。
【００３２】
一方、空気側は、室外ユニット９９では、室外熱交換器５が第１凝縮器として機能するため、送風機の風量に応じて外気へ放熱することになる。そして、外気処理ユニット１００では、室外から取り入れられた外気ＯＡが蒸発器として機能する第１外気処理熱交換器６ａにて冷却された後、第２凝縮器として機能する第２外気処理熱交換器６ｂにて加熱されてから供給空気ＳＡとなって室内へ吹き出されることになる。
【００３３】
このように、３つの流量調整装置１０ａ〜流量調整装置１０ｃを用いることにより、加熱能力を流量調整装置１０ａと流量調整装置１０ｂとの流量比（分流比）で制御（第２凝縮器である第２外気処理熱交換器６ｂの加熱能力制御）することができ、冷却能力を流量調整装置１０ｃを流れる流量（合計流量）で制御（蒸発器である第１外気処理熱交換器６ａの冷却能力制御）することができるようになっている。したがって、外気処理ユニット１００では、加熱と冷却の能力を独立して制御することが可能となり、任意の吹き出し温度の供給空気ＳＡを得ることが可能となる。
【００３４】
［空気調和装置Ａが実行する暖房モード］
空気調和装置Ａが実行する暖房モードでは、室外熱交換器５を第２蒸発器、第２外気処理熱交換器６ｂを第１蒸発器、第１外気処理熱交換器６ａを凝縮器として機能させる。空気調和装置Ａの外気処理ユニット１００では、第１蒸発器として機能させる第２外気処理熱交換器６ｂには流量調整装置１０ｂを介してバイパス配管７が設けられているため、このバイパス配管７を導通させる冷媒流量を調整することにより蒸発能力、すなわち冷却能力を調整することが可能になっている。以下、冷媒の流れ（図２に示す矢印）とともに詳しく説明する。
【００３５】
暖房モードでは、四方弁３が、圧縮機１の出口側（吐出側）と第１外気処理熱交換器６ａとを接続する方向に設定される。冷媒が圧縮機１によって圧縮され、高温・高圧のガス冷媒となって吐出される。圧縮機１から吐出された高温・高圧のガス冷媒は、四方弁３を通り、凝縮器として機能する第１外気処理熱交換器６ａに流入する。第１外気処理熱交換器６ａに流入したガス冷媒は、第１外気処理熱交換器６ａで外気ＯＡに放熱しながら凝縮液化して第１外気処理熱交換器６ａから流出する。
【００３６】
第１外気処理熱交換器６ａから流出した冷媒は、流量調整装置１０ｃに至る。流量調整装置１０ｃに到達した冷媒は、流量調整装置１０ｃで減圧されて低圧の二相冷媒となって流量調整装置１０ｃから流出する。流量調整装置１０ｃから流出した冷媒は、第１蒸発器として機能する第２外気処理熱交換器６ｂへ流量調整装置１０ａを介してから流入する。また、流量調整装置１０ｂの開度が０でなければ、流量調整装置１０ｃから流出した冷媒の残りの一部は、延長配管４を経て、バイパス配管７を流れ、流量調整装置１０ｂに至る。
【００３７】
ここで、外気処理ユニット１００では、第２外気処理熱交換器６ｂを通過する冷媒流量とバイパス配管７を流れる冷媒流量との比率を、流量調整装置１０ａ及び流量調整装置１０ｂの開度比率により調整することができるようになっている。したがって、外気処理ユニット１００においては、第２外気処理熱交換器６ｂの蒸発能力を任意の所望の能力に調整することが可能となる。そして、流量調整装置１０ａから流出し第２外気処理熱交換器６ｂに流入した冷媒は、第２外気処理熱交換器６ｂで送風機４０から供給される外気ＯＡから吸熱しながら蒸発し、第２外気処理熱交換器６ｂから流出する。
【００３８】
第２外気処理熱交換器６ｂから流出した冷媒は、流量調整装置１０ｂを介してバイパス配管７を流れてきた冷媒と合流し、低圧二相冷媒のまま延長配管４を経て第２蒸発器として機能する室外熱交換器５へ流入する。室外熱交換器５に流入した冷媒は、室外熱交換器５で室外空気から吸熱しながら蒸発し、低圧のガス冷媒となり、室外熱交換器５から流出する。室外熱交換器５から流出した低圧のガス冷媒は、延長配管４を流れ、四方弁３及びアキュムレーター２を経て圧縮機１へ戻る。ここで、アキュムレーター２へ流入する冷媒が、ガス状態ではなく二相の場合には、液冷媒とガス冷媒とが分離される。そして、分離された液冷媒がアキュムレーター２内に溜り、分離されたガス冷媒が圧縮機１へ戻ることになる。
【００３９】
一方、空気側は、室外ユニット９９では、室外熱交換器５が第２蒸発器として機能するため、送風機の風量に応じて外気から吸熱することになる。そして、外気処理ユニット１００では、室外から取り入れられた外気ＯＡが凝縮器として機能する第１外気処理熱交換器６ａにて加熱された後、第１蒸発器として機能する第２外気処理熱交換器６ｂにて冷却されてから供給空気ＳＡとなって室内へ吹き出されることになる。
【００４０】
このように、３つの流量調整装置１０ａ〜流量調整装置１０ｃを用いることにより、冷却能力を流量調整装置１０ａと流量調整装置１０ｂとの流量比（分流比）で制御（第１蒸発器である第２外気処理熱交換器６ｂの冷却能力制御）することができ、加熱能力を流量調整装置１０ｃを流れる流量（合計流量）で制御（凝縮器である第１外気処理熱交換器６ａの加熱能力制御）することができるようになっている。したがって、外気処理ユニット１００では、加熱と冷却の能力を独立して制御することが可能となり、任意の吹き出し温度の供給空気ＳＡを得ることが可能となる。
【００４１】
［具体的な制御処理］
図４は、空気調和装置Ａが実行する制御処理の流れを示すフローチャートである。図５は、流量調整装置と空調能力との関係を示すグラフである。図４及び図５に基づいて、空気調和装置Ａ（具体的には図示省略の制御基板）が実行する制御処理について具体的に説明する。図５（ａ）が流量調整装置１０ａ（メイン側）の開度（縦軸）と空調能力（横軸）との関係を、図５（ｂ）が流量調整装置１０ｂ（バイパス側）の開度（縦軸）と空調能力（横軸）との関係を、それぞれ示している。
【００４２】
制御対象となる制御機器（制御機器に続くカッコ内には制御する対象が表してある）は、圧縮機１（運転周波数）、四方弁３（冷／暖での冷媒流路の切替え）、室外熱交換器５に付属する送風機（通過する空気の風量、つまり回転数）、外気処理ユニット１００に内蔵される送風機４０（外気ＯＡから供給空気ＳＡへ導入する空気の風量、つまり回転数）、流量調整装置１０ａ（開度）、流量調整装置１０ｂ（開度）、及び、流量調整装置１０ｃ（開度）である。これらのうち送風機４０の風量については、空気調和装置Ａの設置環境により必要風量が決定されるため固定とする。
【００４３】
［冷房モード時における制御処理］
制御基板は、冷房モード、暖房モードのいずれが指示されているかを判断する（ＳＴ１）。制御基板は、冷房モードが指示されていると判断すると（ＳＴ１；冷房）、四方弁３を冷房側に設定、つまり圧縮機１からの吐出冷媒が室外熱交換器５に導入されるように切り替える（ＳＴ２ａ）。そして、制御基板は、ΔＴｃの絶対値が予め設定してある所定の目標値よりも小さいかどうか判断する（ＳＴ３ａ）。ΔＴｃは、「現在の冷媒凝縮温度―目標凝縮温度」を表している。現在の冷媒凝縮温度とは、第６冷媒温度センサー２１ｆもしくは第５冷媒温度センサー２１ｅでの測定温度、または、圧縮機１の吐出側に設けた図示省略の圧力センサーでの測定圧力（吐出圧力）から算出した飽和温度のことである。
【００４４】
制御基板は、ΔＴｃの絶対値が目標値より大きいと判断した場合（ＳＴ３ａ；Ｎｏ）には、ΔＴｃの絶対値が小さくなるように室外熱交換器５の空気風量を制御する（ＳＴ４ａ）。たとえば、ΔＴｃが目標偏差量より大きい場合には室外熱交換器５に付属の送風機の風量を大きくし、小さい場合には風量を小さくすることで、ΔＴｃの絶対値を小さくできる。それから、制御基板は、ΔＴａｍの絶対値が予め設定してある所定の目標値よりも小さいかどうか判断する（ＳＴ５ａ）。
【００４５】
一方、制御基板は、ΔＴｃの絶対値が目標値よりも小さいと判断した場合（ＳＴ３ａ；Ｙｅｓ）には、ＳＴ４ａを経ずに、ΔＴａｍの絶対値が予め設定してある所定の目標値よりも小さいかどうか判断する（ＳＴ５ａ）。ここでのΔＴａｍは、「現在の熱交換器間空気温度（通過空気温度センサー２０ｂでの測定温度）―目標空気温度」を表している。制御基板は、ΔＴａｍの絶対値が目標値より大きいと判断した場合には（ＳＴ５ａ；Ｎｏ）、ΔＴａｍが小さくなるように圧縮機１の周波数を制御する（ＳＴ６ａ）。たとえば、ΔＴａｍが目標偏差量より大きい場合には圧縮機１の周波数を大きくし、小さい場合には周波数を小さくすることで、ΔＴａｍの絶対値を小さくできる。それから、制御基板は、ΔＴａｏの絶対値が予め設定してある所定の目標値よりも小さいかどうか判断する（ＳＴ７ａ）。
【００４６】
なお、ここでは、ＳＴ５ａ及びＳＴ６ａにおけるΔＴａｍに関する制御として、冷却後の露点（第１外気処理熱交換器６ａの出口ではほぼ相対湿度１００％のため乾球温度が露点にほぼ等しい）を制御することが可能な仕様とした場合を例に説明している。それだけに限らず、室内吹出し側に設けられている吹出湿度センサー３０ｂでの測定湿度（相対湿度、絶対湿度、又は、露点等でも可）を制御目標値として圧縮機１の周波数を制御する仕様としてもよい。
【００４７】
一方、制御基板は、ΔＴａｍの絶対値が目標値よりも小さいと判断した場合（ＳＴ５ａ；Ｙｅｓ）には、ＳＴ６ａを経ずに、ΔＴａｏの絶対値が予め設定してある所定の目標値よりも小さいかどうか判断する（ＳＴ７ａ）。ここでのΔＴａｏは、「現在の供給空気ＳＡの吹出空気温度（吹出温度センサー２０ｃでの測定温度）―目標空気温度」を表している。制御基板は、ΔＴａｏの絶対値が目標値より大きいと判断した場合には（ＳＴ７ａ；Ｎｏ）、ΔＴａｏが小さくなるように流量調整装置１０ａと流量調整装置１０ｂとの流量比を制御する（ＳＴ８ａ）。たとえば、ΔＴａｏが目標偏差量より大きい場合には流量調整装置１０ｂの開度比を大きくし（バイパス量大）、小さい場合には流量調整装置１０ａの開度比を大きくする（バイパス量小）ことで、ΔＴａｏの絶対値を小さくできる。それから、制御基板は、ΔＳＣｃの絶対値が予め設定してある所定の目標値よりも小さいかどうか判断する（ＳＴ９ａ）。
【００４８】
一方、制御基板は、ΔＴａｏの絶対値が目標値よりも小さいと判断した場合（ＳＴ７ａ；Ｙｅｓ）には、ＳＴ８ａを経ずに、ΔＳＣｃの絶対値が予め設定してある所定の目標値よりも小さいかどうか判断する（ＳＴ９ａ）。ΔＳＣｃは、「現在の流量調整装置１０ｃ手前の過冷却度−目標過冷却度」を表している。流量調整装置１０ｃ手前の過冷却度は、第４冷媒温度センサー２１ｄでの測定温度（凝縮温度）−第３冷媒温度センサー２１ｃでの測定温度から算出される。なお、凝縮温度は、吐出圧力センサーを別途設け、この飽和温度から求めるようにしてもよい。
【００４９】
制御基板は、ΔＳＣｃの絶対値が目標値より大きいと判断した場合には（ＳＴ９ａ；Ｎｏ）、ΔＳＣｃが小さくなるように流量調整装置１０ｃの開度を制御する（ＳＴ１０ａ）。たとえば、ΔＳＣｃが目標偏差量より大きい場合には流量調整装置１０ｃの開度を大きくし、小さい場合には流量調整装置１０ｃの開度比を小さくすることで、ΔＳＣｃの絶対値を小さくできる。それから、制御基板は、ＳＴ１に戻り同様の制御処理を繰り返す。一方、制御基板は、ΔＳＣｃの絶対値が目標値よりも小さいと判断した場合（ＳＴ９ａ；Ｙｅｓ）には、ＳＴ１０ａを経ずに、ＳＴ１に戻り同様の制御処理を繰り返す。
【００５０】
なお、ここでは、ＳＴ５ａ及びＳＴ６ａの圧縮機１の周波数制御をΔＴａｍに基づく制御としたが、圧縮機１の蒸発温度（第１冷媒温度センサー２１ａもしくは圧縮機１の吸入側に設けた図示省略の圧力センサーでの測定圧力の飽和温度換算）を目標とする制御でもよい。この場合は、第１外気処理熱交換器６ａの冷却能力が固定となり、加熱側の第２外気処理熱交換器６ｂによる加熱能力制御（ＳＴ７ａ、ＳＴ８ａ）により供給空気ＳＡの吹出温度を制御することになる。また、上記で述べた各目標値は、予め設定した値を制御を行なう制御基板内に存在するメモリー等の記憶手段に記憶させておくことにより参照が可能となる。
【００５１】
［暖房モード時における制御処理］
制御基板は、冷房モード、暖房モードのいずれが指示されているかを判断する（ＳＴ１）。制御基板は、暖房モードが指示されていると判断すると（ＳＴ１；暖房）、四方弁３を暖房側に設定、つまり圧縮機１からの吐出冷媒が第１外気処理熱交換器６ａに導入されるように切り替える（ＳＴ２ｂ）。そして、制御基板は、ΔＴｅの絶対値が予め設定してある所定の目標値よりも小さいかどうか判断する（ＳＴ３ｂ）。ΔＴｅは、「現在の冷媒蒸発温度―目標蒸発温度」を表している。現在の冷媒蒸発温度とは、第４冷媒温度センサー２１ｄもしくは第６冷媒温度センサー２１ｆでの測定温度、または、圧縮機１の吸入側に設けた図示省略の圧力センサーでの測定圧力（吸入圧力）から算出した飽和温度のことである。
【００５２】
制御基板は、ΔＴｅの絶対値が目標値より大きいと判断した場合（ＳＴ３ｂ；Ｎｏ）には、ΔＴｅの絶対値が小さくなるように室外熱交換器５の空気風量を制御する（ＳＴ４ｂ）。たとえば、ΔＴｅが目標偏差量より大きい場合には室外熱交換器５に付属の送風機の風量を小さくし、小さい場合には風量を大きくすることで、ΔＴｅの絶対値を小さくできる。それから、制御基板は、ΔＴａｍの絶対値が予め設定してある所定の目標値よりも小さいかどうか判断する（ＳＴ５ｂ）。
【００５３】
一方、制御基板は、ΔＴｅの絶対値が目標値よりも小さいと判断した場合（ＳＴ３ｂ；Ｙｅｓ）には、ＳＴ４ｂを経ずに、ΔＴａｍの絶対値が予め設定してある所定の目標値よりも小さいかどうか判断する（ＳＴ５ｂ）。ここでのΔＴａｍは、「現在の熱交換器間空気温度（通過空気温度センサー２０ｂでの測定温度）―目標空気温度」を表している。制御基板は、ΔＴａｍの絶対値が目標値より大きいと判断した場合には（ＳＴ５ｂ；Ｎｏ）、ΔＴａｍが小さくなるように圧縮機１の周波数を制御する（ＳＴ６ｂ）。たとえば、ΔＴａｍが目標偏差量より大きい場合には圧縮機１の周波数を小さくし、小さい場合には周波数を大きくすることで、ΔＴａｍの絶対値を小さくできる。それから、制御基板は、ΔＴａｏの絶対値が予め設定してある所定の目標値よりも小さいかどうか判断する（ＳＴ７ｂ）。
【００５４】
一方、制御基板は、ΔＴａｍの絶対値が目標値よりも小さいと判断した場合（ＳＴ５ｂ；Ｙｅｓ）には、ＳＴ６ｂを経ずに、ΔＴａｏの絶対値が予め設定してある所定の目標値よりも小さいかどうか判断する（ＳＴ７ｂ）。ここでのΔＴａｏは、「現在の供給空気ＳＡの吹出空気温度（吹出温度センサー２０ｃでの測定温度）―目標空気温度」を表している。制御基板は、ΔＴａｏの絶対値が目標値より大きいと判断した場合には（ＳＴ７ｂ；Ｎｏ）、ΔＴａｏが小さくなるように流量調整装置１０ａと流量調整装置１０ｂとの流量比を制御する（ＳＴ８ｂ）。たとえば、ΔＴａｏが目標偏差量より大きい場合には流量調整装置１０ｂの開度比を大きくし（バイパス量大）、小さい場合には流量調整装置１０ａの開度比を大きくする（バイパス量小）ことで、ΔＴａｏの絶対値を小さくできる。それから、制御基板は、ΔＳＣｈの絶対値が予め設定してある所定の目標値よりも小さいかどうか判断する（ＳＴ９ｂ）。
【００５５】
一方、制御基板は、ΔＴａｏの絶対値が目標値よりも小さいと判断した場合（ＳＴ７ｂ；Ｙｅｓ）には、ＳＴ８ｂを経ずに、ΔＳＣｈの絶対値が予め設定してある所定の目標値よりも小さいかどうか判断する（ＳＴ９ｂ）。ΔＳＣｈは、「現在の流量調整装置１０ｃ手前の過冷却度−目標過冷却度」を表している。流量調整装置１０ｃ手前の過冷却度は、第１冷媒温度センサー２１ａでの測定温度（凝縮温度）−第２冷媒温度センサー２１ｂでの測定温度から算出される。なお、凝縮温度は、吐出圧力センサーを別途設け、この飽和温度から求めるようにしてもよい。
【００５６】
制御基板は、ΔＳＣｈの絶対値が目標値より大きいと判断した場合には（ＳＴ９ｂ；Ｎｏ）、ΔＳＣｈが小さくなるように流量調整装置１０ｃの開度を制御する（ＳＴ１０ｂ）。たとえば、ΔＳＣｈが目標偏差量より大きい場合には流量調整装置１０ｃの開度を大きくし、小さい場合には流量調整装置１０ｃの開度比を小さくすることで、ΔＳＣｈの絶対値を小さくできる。それから、制御基板は、ＳＴ１に戻り同様の制御処理を繰り返す。一方、制御基板は、ΔＳＣｈの絶対値が目標値よりも小さいと判断した場合（ＳＴ９ｂ；Ｙｅｓ）には、ＳＴ１０ｂを経ずに、ＳＴ１に戻り同様の制御処理を繰り返す。
【００５７】
なお、ここでは、ＳＴ５ｂ及びＳＴ６ｂの圧縮機１の周波数制御をΔＴａｍに基づく制御としたが、圧縮機１の凝縮温度（第１冷媒温度センサー２１ａもしくは圧縮機１の吐出側に設けた図示省略の圧力センサーでの測定圧力の飽和温度換算）を目標とする制御でもよい。この場合は、第１外気処理熱交換器６ａの加熱能力が固定となり、冷却側の第２外気処理熱交換器６ｂによる冷却能力制御（ＳＴ７ｂ、ＳＴ８ｂ）により供給空気ＳＡの吹出温度を制御することになる。
【００５８】
図５には、図４で示したＳＴ８ａ、ＳＴ８ｂにおける流量調整装置１０ａと流量調整装置１０ｂとの開度比率変更制御による弁開度と空調能力の関係を示している。図５に示すように、空調能力最小の状態では、第２外気処理熱交換器６ｂが存在するメイン側の流量調整装置１０ａの開度を全閉、バイパス回路側の流量調整装置１０ｂの開度を全開にする。こうすることにより、冷媒は、全バイパスとなり、第２外気処理熱交換器６ｂに流れないため空気側への加熱もしくは冷却能力がゼロとなり、第２外気処理熱交換器６ｂの空調能力が最小のゼロとなる。
【００５９】
一方、空調能力最大の状態では、メイン側の流量調整装置１０ａの開度を全開、バイパス回路側の流量調整装置１０ｂの開度を全閉にする。こうすることにより、冷媒は、第２外気処理熱交換器６ｂに全量流れるため空気側への加熱もしくは冷却能力が最大となり、第２外気処理熱交換器６ｂの空調能力が最大値となる。空調能力最小から最大の間の状態では、流量調整装置１０ｂの開度を全開、流量調整装置１０ａの開度を次第に大きくして流量調整装置１０ａの開度が全開になったら流量調整装置１０ａは全開固定とし、流量調整装置１０ｂの開度を次第に小さくしていき、流量調整装置１０ｂが全閉となった時点で第２外気処理熱交換器６ｂの空調能力最大となる。
【００６０】
このように、流量調整装置１０ａと流量調整装置１０ｂの開度比を制御することにより第２外気処理熱交換器６ｂの空調能力を最小ゼロから最大まで任意に変更することができるのである。すなわち、空気調和装置Ａは、吹き出し空気（供給空気ＳＡ）の温湿度制御の範囲を広くできる。また、空気調和装置Ａは、複雑な回路構成とすることなく、凝縮器と蒸発器に挟まれる第２外気処理熱交換器にバイパス回路を設けることで、冷房と暖房に対応可能な吹出温湿度制御が可能となる。
【００６１】
ところで、第２外気処理熱交換器６ｂのバイパス流量を調整して、バイパス比を全閉から全開まで変化させる場合には、第２外気処理熱交換器６ｂの存在冷媒量が大きく変化し、冷凍サイクル回路内での必要冷媒量が大きく変わることになる。図１の冷房モードでは、流量調整装置１０ｃ手前の過冷却度を一定に制御しているため、後段に設置される凝縮器となる第２外気処理熱交換器６ｂに冷媒が流れる場合には第２外気処理熱交換器６ｂの中間部分程度までは冷媒が二相状態で流れるが出口付近では密度の大きい液冷媒状態となる。
【００６２】
一方、バイパス配管７に全冷媒を流し、第２外気処理熱交換器６ｂ側の流量調整装置１０ａを全閉とした場合には第２外気処理熱交換器６ｂが冷却されるため液冷媒が寝込み（溜まり込み）、第２外気処理熱交換器６ｂの全体が密度の大きい液冷媒の状態となり、第２外気処理熱交換器６ｂに冷媒を流す場合よりも冷凍サイクル全体としては多くの冷媒が必要となる。このように、バイパス流量により冷凍サイクル必要冷媒量が大きく変化する。
【００６３】
そこで、実施の形態１に係る空気調和装置Ａにおいては、このような大きな冷媒量変化に対応するために、圧縮機１の吸入側手前にアキュムレーター２を設けるようにしている。アキュムレーター２を設けることによって、冷凍サイクル必要冷媒量が大きく変化した場合でも対応することが可能となる。ここで、アキュムレーター２の容積は、冷暖の運転範囲において冷凍サイクルの必要最大冷媒量から最小冷媒量を差し引いた容量よりも大きな容量としている。
【００６４】
また、図２の暖房モードにおいても、蒸発器となる第２外気処理熱交換器６ｂのバイパス量を変更した場合には冷凍サイクル必要冷媒量が変化する。全量バイパスの場合には第２外気処理熱交換器６ｂが、凝縮器である第１外気処理熱交換器６ａから出る温風で暖められる。そのため、冷媒が蒸発して第２外気処理熱交換器６ｂの存在冷媒量が減少するが、バイパス量ゼロの場合には第２外気処理熱交換器６ｂの入口付近では冷媒乾き度が小さく液に近い冷媒が流れることになり、第２外気処理熱交換器６ｂの存在冷媒量が増加し、冷凍サイクル必要冷媒量が大きくなる。この場合も冷房モードの場合と同様に、冷媒量の変化分をアキュムレーター２で吸収することが可能となる。
【００６５】
この実施の形態１では、流量調整装置１０ｃを設けることにより、第２外気処理熱交換器６ｂのバイパスによる空調能力調整機能を流量調整装置１０ａ及び流量調整装置１０ｂに、冷房モードと暖房モードとにおける過冷却制御（冷房は流量調整装置１０ｃ手前すなわち第２凝縮器である第２外気処理熱交換器６ｂとバイパス回路が合流した地点での過冷却度、暖房は凝縮器である第１外気処理熱交換器６ａ出口の過冷却度）を流量調整装置１０ｃに独立して持たせることが可能となる。したがって、制御構築が容易かつ安定した制御が可能となる。
【００６６】
この実施の形態１では、室外熱交換器５と第１外気処理熱交換器６ａとの中間に、第２外気処理熱交換器６ｂとバイパス回路（バイパス配管７と流量調整装置１０ｂ）を設ける構成とすることで、冷房モード及び暖房モードのいずれにおいても、両端に位置する熱交換器を蒸発器もしくは凝縮器として動作させ、中間に位置する熱交換器をバイパス回路により空調容量可変な蒸発器もしくは凝縮器として動作させることが可能となる。これにより、外気から導入する外気ＯＡの温度と湿度（主に冷房時）を調整し、供給空気ＳＡを供給することができる。
【００６７】
この実施の形態１では、第１外気処理熱交換器６ａ、第２外気処理熱交換器６ｂ、及び、送風機４０等の要素部品をひとつの箱体に収めることにより、加熱と冷却の熱源と空気の吸込、吹出温湿度センサー類を一体化することが可能となる。これにより、装置全体での制御が容易となる。また、第１外気処理熱交換器６ａ及び第２外気処理熱交換器６ｂの各熱交換器の下に図示省略のドレンパンを設けることで、蒸発器となる熱交換器のドレン水を一括処理することが可能となる。
【００６８】
図６は、空気調和装置Ａに室内ユニット２００を追加した回路構成における冷房モード時の冷媒の流れを示す冷媒回路図である。図６に示すように、第１外気処理熱交換器６ａ出口の四方弁３が繋がる側から冷媒が低圧となる低圧管４ａを、流量調整装置１０ｃと、流量調整装置１０ａ及び流量調整装置１０ｂと、の間から冷媒が高圧となる高圧管４ｂを、それぞれ取り出し、室内ユニット２００内の室内熱交換器５０へと接続する構成としている。つまり、室内ユニット２００は、室内熱交換器５０が第１外気処理熱交換器６ａと並列となるように接続されている。また、室内ユニット２００には、室内熱交換器５０の出口側における高圧管４ｂに流量調整装置５１が設けられている。
【００６９】
室内熱交換器５０は、暖房モード時には凝縮器として、冷房モード時には蒸発器として機能し、図示省略のファン等の送風機から供給される空気と冷媒との間で熱交換を行ない、その冷媒を凝縮液化又は蒸発ガス化するものである。室内熱交換器５０は、送風機から供給される空気を熱交換器に通過させ、熱交換器内を流れる冷媒との間で熱交換が可能な構成になっている。流量調整装置５１は、減圧弁や膨張弁としての機能を有し、冷媒を減圧して膨張させるものであり、開度が可変に制御可能なもの、たとえば電子式膨張弁などで構成するとよい。
【００７０】
さらに、室内ユニット２００には、機器制御のために必要となる各種センサーが設けられている。第１室内冷媒温度センサー２１ｈは、冷房運転時における流量調整装置５１の下流側に設置され、流量調整装置５１の冷房時出口側の配管温度を測定するものである。第２室内冷媒温度センサー２１ｊは、流量調整装置５１と室内熱交換器５０との間に設置され、室内熱交換器５０の冷房時出口側の配管温度を測定するものである。第３室内冷媒温度センサー２１ｋは、室内熱交換器５０内における中間付近に設置され、この位置における配管温度を測定するものである。第４室内冷媒温度センサー２１ｌは、冷房運転時における室内熱交換器５０の上流側に設置され、室内熱交換器５０の冷房時入口側の配管温度を測定するものである。
【００７１】
このような構成にすることによって、冷房モードでは室内熱交換器５０の入口での過冷却度を確実にとることができるため（図４のＳＴ９ａ、ＳＴ１０ａにて流量調整装置１０ｃ手前の過冷却度を調整する制御を行なっているため）、安定した空調能力を得ることが可能になる。なお、図６では冷房モードでの冷媒の流れを示しているが、四方弁３を反転することにより暖房モードの運転も可能であることはいうまでもない。
【００７２】
室内ユニット２００では、冷房モード時は流量調整装置５１を室内熱交換器５０出口の加熱度目標制御（加熱度は、第４室内冷媒温度センサー２１ｌでの測定温度−第１室内冷媒温度センサー２１ｈでの測定温度（蒸発温度相当）から算出）を行なう。暖房モード時は、室内熱交換器５０出口の過冷却度目標制御（過冷却度は、第１室内冷媒温度センサー２１ｈでの測定温度（凝縮温度相当）−第７冷媒温度センサー２１ｇでの測定温度から算出）を行なう。これにより、室内ユニット２００で安定した空調能力を得ることができる。なお、図６では、室内ユニット２００の接続台数が１台である構成を例にしているが、複数台の室内ユニット２００を接続することも可能である。
【００７３】
実施の形態２．
図７は、空気調和装置Ｂの冷房モード時における冷媒の流れを示す冷媒回路図である。図８は、空気調和装置Ｂの暖房モード時における冷媒の流れを示す冷媒回路図である。図７及び図８に基づいて、本発明の実施の形態２に係る空気調和装置Ｂ及び外気処理ユニット１００ａの構成及び作用について説明する。なお、この実施の形態２では、実施の形態１と同一部分には同一符号を付し、実施の形態１との相違点を中心に説明するものとする。
【００７４】
［空気調和装置Ｂのシステム構成］
この空気調和装置Ｂは、ビルやマンション等に設置され、冷媒を循環させる冷凍サイクルを利用することで冷房モード又は暖房モードを実行するものである。図７及び図８に示すように、空気調和装置Ｂは、室外ユニット９９及び外気処理ユニット１００ａの２つのユニットと、これらのユニットを接続する延長配管４と、を搭載している。つまり、外気処理ユニット１００ａの構成が、実施の形態１に係る外気処理ユニット１００と相違しているのである。
【００７５】
［外気処理ユニット１００ａ］
外気処理ユニット１００ａは、実施の形態１に係る外気処理ユニット１００の構成に加え、第１外気処理熱交換器６ａをバイパスする第２バイパス配管７ｂが設けられており、この第２バイパス配管７ｂに流量調整装置１０ｃと並列となるように流量調整装置（第４流量調整装置）１０ｄが設けられている。なお、説明の便宜上、実施の形態１で説明したバイパス配管７を、バイパス配管７ａとして図示している。
【００７６】
バイパス配管７ｂは、流量調整装置１０ｃと流量調整装置１０ａ及び流量調整装置１０ｂとの間の延長配管４と、第１外気処理熱交換器６ａの流量調整装置１０ｄが設けられていない側の延長配管４と、を接続し、第１外気処理熱交換器６ａを迂回可能に設けられている。流量調整装置１０ｄは、減圧弁や膨張弁としての機能を有し、冷媒を減圧して膨張させるものであり、開度が可変に制御可能なもの、たとえば電子式膨張弁などで構成するとよい。
【００７７】
［空気調和装置Ｂが実行する冷房モード］
空気調和装置Ｂが実行する冷房モードでは、蒸発器として機能する第１外気処理熱交換器６ａにも流量調整装置１０ｄを介してバイパス配管７ｂが設けられているため、このバイパス配管７ｂを導通させる冷媒流量を調整することにより蒸発能力、すなわち冷却能力を調整することが可能になっている。すなわち、空気調和装置Ｂでは、実施の形態１で説明した第２外気処理熱交換器６ｂとバイパス配管７ａによる凝縮能力（加熱能力）の可変に加えて、蒸発能力（冷却能力）の可変が可能になっている。
【００７８】
［空気調和装置Ｂが実行する暖房モード］
空気調和装置Ｂが実行する暖房モードでは、凝縮器として機能する第１外気処理熱交換器６ａにも流量調整装置１０ｄを介してバイパス配管７ｂが設けられているため、このバイパス配管７ｂを導通させる冷媒流量を調整することにより凝縮能力、すなわち加熱能力を調整することが可能になっている。すなわち、空気調和装置Ｂでは、実施の形態１で説明した第２外気処理熱交換器６ｂとバイパス配管７ａによる蒸発能力（冷却能力）の可変に加えて、凝縮能力（加熱能力）の可変が可能になっている。
【００７９】
［具体的な制御処理］
図９は、空気調和装置Ｂが実行する制御処理の流れを示すフローチャートである。図９に基づいて、空気調和装置Ｂ（具体的には図示省略の制御基板）が実行する制御処理について具体的に説明する。制御対象となる制御機器（制御機器に続くカッコ内には制御する対象が表してある）には、実施の形態１で説明した機器に加え、流量調整装置１０ｄ（開度）が追加される。
【００８０】
［冷房モード時における制御処理］
制御基板は、冷房モード、暖房モードのいずれが指示されているかを判断する（ＳＴ１１）。制御基板は、冷房モードが指示されていると判断すると（ＳＴ１１；冷房）、四方弁３を冷房側に設定、つまり圧縮機１からの吐出冷媒が室外熱交換器５に導入されるように切り替える（ＳＴ１２ａ）。そして、制御基板は、ΔＴｅの絶対値が予め設定してある所定の目標値よりも小さいかどうか判断する（ＳＴ１３ａ）。ΔＴｅは、「現在の冷媒蒸発器温度―目標凝縮温度」を表している。現在の冷媒蒸発温度とは、第１冷媒温度センサー２１ａもしくは第２冷媒温度センサー２１ｂでの測定温度、または、圧縮機１の吸入側に設けた図示省略の圧力センサーでの測定圧力（吸入圧力）から算出した飽和温度のことである。
【００８１】
制御基板は、ΔＴｅの絶対値が目標値より大きいと判断した場合（ＳＴ１３ａ；Ｎｏ）には、ΔＴｅの絶対値が小さくなるように圧縮機１の周波数を制御する（ＳＴ１４ａ）。たとえば、ΔＴｅが目標偏差量より大きい場合には圧縮機１の周波数を大きくし、小さい場合には周波数を小さくすることで、ΔＴｅの絶対値を小さくできる。それから、制御基板は、ΔＴｃの絶対値が予め設定してある所定の目標値よりも小さいかどうか判断する（ＳＴ１５ａ）。
【００８２】
一方、制御基板は、ΔＴｅの絶対値が目標値よりも小さいと判断した場合（ＳＴ１３ａ；Ｙｅｓ）には、ＳＴ１４ａを経ずに、ΔＴｃの絶対値が予め設定してある所定の目標値よりも小さいかどうか判断する（ＳＴ１５ａ）。ΔＴｃは、「現在の冷媒凝縮温度―目標空気温度」を表している。現在の冷媒凝縮温度とは、第６冷媒温度センサー２１ｆ、第５冷媒温度センサー２１ｅもしくは第４冷媒温度センサー２１ｄの温度、もしくは圧縮機１の吐出側に設けた図示省略の圧力センサーでの測定圧力（吐出圧力）から算出した飽和温度のことである。
【００８３】
制御基板は、ΔＴｃの絶対値が目標値より大きいと判断した場合には（ＳＴ１５ａ；Ｎｏ）、ΔＴｃが小さくなるように室外熱交換器５の空気風量を制御する（ＳＴ１６ａ）。たとえば、ΔＴｃが目標偏差量より大きい場合には室外熱交換器５に付属の送風機の風量を大きくし、小さい場合には風量を小さくすることで、ΔＴｃの絶対値を小さくできる。それから、制御基板は、ΔＴａｍの絶対値が予め設定してある所定の目標値よりも小さいかどうか判断する（ＳＴ１７ａ）。
【００８４】
一方、制御基板は、ΔＴｃの絶対値が目標値よりも小さいと判断した場合（ＳＴ１５ａ；Ｙｅｓ）には、ＳＴ１６ａを経ずに、ΔＴａｍの絶対値が予め設定してある所定の目標値よりも小さいかどうか判断する（ＳＴ１７ａ）。ここでのΔＴａｍは、「現在の熱交換器間空気温度（通過空気温度センサー２０ｂでの測定温度）―目標空気温度」を表している。制御基板は、ΔＴａｍの絶対値が目標値より大きいと判断した場合には（ＳＴ１７ａ；Ｎｏ）、ΔＴａｍが小さくなるように流量調整装置１０ｄの開度を制御する（ＳＴ１８ａ）。たとえば、ΔＴａｍが目標偏差量より大きい場合には流量調整装置１０ｄの開度を小さくし、小さい場合には開度を大きくすることで、ΔＴａｍの絶対値を小さくできる。それから、制御基板は、ΔＴａｏの絶対値が予め設定してある所定の目標値よりも小さいかどうか判断する（ＳＴ１９ａ）。
【００８５】
なお、ここでは、ＳＴ１７ａ及びＳＴ１８ａにおけるΔＴａｍに関する制御として、冷却後の露点（第１外気処理熱交換器６ａの出口ではほぼ相対湿度１００％のため乾球温度が露点にほぼ等しい）を制御することが可能な仕様とした場合を例に説明している。それだけに限らず、室内吹出し側に設けられている吹出湿度センサー３０ｂでの測定湿度（相対湿度、絶対湿度、又は、露点等でも可）を制御目標値として流量調整装置１０ｄの開度を制御する仕様としてもよい。
【００８６】
一方、制御基板は、ΔＴａｍの絶対値が目標値よりも小さいと判断した場合（ＳＴ１７ａ；Ｙｅｓ）には、ＳＴ１８ａを経ずに、ΔＴａｏの絶対値が予め設定してある所定の目標値よりも小さいかどうか判断する（ＳＴ１９ａ）。ここでのΔＴａｏは、「現在の供給空気ＳＡの吹出空気温度（吹出温度センサー２０ｃでの測定温度）―目標空気温度」を表している。制御基板は、ΔＴａｏの絶対値が目標値より大きいと判断した場合には（ＳＴ１９ａ；Ｎｏ）、ΔＴａｏが小さくなるように流量調整装置１０ａと流量調整装置１０ｂとの流量比を制御する（ＳＴ１１０ａ）。たとえば、ΔＴａｏが目標偏差量より大きい場合には流量調整装置１０ｂの開度比を大きくし（バイパス量大）、小さい場合には流量調整装置１０ａの開度比を大きくする（バイパス量小）ことで、ΔＴａｏの絶対値を小さくできる。それから、制御基板は、ΔＳＨｃの絶対値が予め設定してある所定の目標値よりも小さいかどうか判断する（ＳＴ１１１ａ）。
【００８７】
一方、制御基板は、ΔＴａｏの絶対値が目標値よりも小さいと判断した場合（ＳＴ１９ａ；Ｙｅｓ）には、ＳＴ１１０ａを経ずに、ΔＳＨｃの絶対値が予め設定してある所定の目標値よりも小さいかどうか判断する（ＳＴ１１１ａ）。ΔＳＨｃは、「現在の第１外気処理熱交換器６ａ（蒸発器）の過熱度−目標過冷却度」を表している。第１外気処理熱交換器６ａの過熱度は、第１室内冷媒温度センサー２１ｈでの測定温度−第１冷媒温度センサー２１ａでの測定温度（蒸発温度）から算出される。なお、蒸発温度は、吸入圧力センサーを別途設け、この飽和温度から求めるようにしてもよい。
【００８８】
制御基板は、ΔＳＨｃの絶対値が目標値より大きいと判断した場合には（ＳＴ１１１ａ；Ｎｏ）、ΔＳＨｃが小さくなるように流量調整装置１０ｃの開度を制御する（ＳＴ１１２ａ）。たとえば、ΔＳＨｃが目標偏差量より大きい場合には流量調整装置１０ｃの開度を大きくし、小さい場合には流量調整装置１０ｃの開度比を小さくすることで、ΔＳＨｃの絶対値を小さくできる。それから、制御基板は、ＳＴ１１に戻り同様の制御処理を繰り返す。一方、制御基板は、ΔＳＨｃの絶対値が目標値よりも小さいと判断した場合（ＳＴ１１１ａ；Ｙｅｓ）には、ＳＴ１１２ａを経ずに、ＳＴ１１に戻り同様の制御処理を繰り返す。
【００８９】
［暖房モード時における制御処理］
制御基板は、冷房モード、暖房モードのいずれが指示されているかを判断する（ＳＴ１１）。制御基板は、暖房モードが指示されていると判断すると（ＳＴ１１；暖房）、四方弁３を暖房側に設定、つまり圧縮機１からの吐出冷媒が第１外気処理熱交換器６ａに導入されるように切り替える（ＳＴ１２ｂ）。そして、制御基板は、ΔＴｃの絶対値が予め設定してある所定の目標値よりも小さいかどうか判断する（ＳＴ１３ｂ）。ΔＴｃは、「現在の冷媒凝縮温度―目標蒸発温度」を表している。現在の冷媒凝縮温度とは、第１冷媒温度センサー２１ａもしくは第１室内冷媒温度センサー２１ｈでの測定温度、または、圧縮機１の吐出側に設けた図示省略の圧力センサーでの測定圧力（吐出圧力）から算出した飽和温度のことである。
【００９０】
制御基板は、ΔＴｃの絶対値が目標値より大きいと判断した場合（ＳＴ１３ｂ；Ｎｏ）には、ΔＴｃの絶対値が小さくなるように圧縮機１の周波数を制御する（ＳＴ１４ｂ）。たとえば、ΔＴｃが目標偏差量より大きい場合には圧縮機１の周波数を小さくし、小さい場合には周波数を大きくすることで、ΔＴｃの絶対値を小さくできる。それから、制御基板は、ΔＴｅの絶対値が予め設定してある所定の目標値よりも小さいかどうか判断する（ＳＴ１５ｂ）。
【００９１】
一方、制御基板は、ΔＴｃの絶対値が目標値よりも小さいと判断した場合（ＳＴ１３ｂ；Ｙｅｓ）には、ＳＴ１４ｂを経ずに、ΔＴｅの絶対値が予め設定してある所定の目標値よりも小さいかどうか判断する（ＳＴ１５ｂ）。ΔＴｅは、「現在の冷媒蒸発温度―目標空気温度」を表している。現在の冷媒蒸発温度とは、第４冷媒温度センサー２１ｄ、第５冷媒温度センサー２１ｆ、もしくは、第１室内冷媒温度センサー２１ｈの温度、または、圧縮機１の吸入側に設けた図示省略の圧力センサーでの測定圧力（吸入圧力）から算出した飽和温度のことである。
【００９２】
制御基板は、ΔＴｅの絶対値が目標値より大きいと判断した場合には（ＳＴ１５ｂ；Ｎｏ）、ΔＴｅが小さくなるように室外熱交換器５の空気風量を制御する（ＳＴ１６ｂ）。たとえば、ΔＴｅが目標偏差量より大きい場合には室外熱交換器５に付属の送風機の風量を小さくし、小さい場合には風量を大きくすることで、ΔＴｅの絶対値を小さくできる。それから、制御基板は、ΔＴａｍの絶対値が予め設定してある所定の目標値よりも小さいかどうか判断する（ＳＴ１７ｂ）。
【００９３】
一方、制御基板は、ΔＴｅの絶対値が目標値よりも小さいと判断した場合（ＳＴ１５ｂ；Ｙｅｓ）には、ＳＴ１６ｂを経ずに、ΔＴａｍの絶対値が予め設定してある所定の目標値よりも小さいかどうか判断する（ＳＴ１７ｂ）。ここでのΔＴａｍは、「現在の熱交換器間空気温度（通過空気温度センサー２０ｂでの測定温度）―目標空気温度」を表している。制御基板は、ΔＴａｍの絶対値が目標値より大きいと判断した場合には（ＳＴ１７ｂ；Ｎｏ）、ΔＴａｍが小さくなるように流量調整装置１０ｄの開度を制御する（ＳＴ１８ｂ）。たとえば、ΔＴａｍが目標偏差量より大きい場合には流量調整装置１０ｄの開度を小さくし、小さい場合には開度を大きくすることで、ΔＴａｍの絶対値を小さくできる。それから、制御基板は、ΔＴａｏの絶対値が予め設定してある所定の目標値よりも小さいかどうか判断する（ＳＴ１９ｂ）。
【００９４】
一方、制御基板は、ΔＴａｍの絶対値が目標値よりも小さいと判断した場合（ＳＴ１７ｂ；Ｙｅｓ）には、ＳＴ１８ｂを経ずに、ΔＴａｏの絶対値が予め設定してある所定の目標値よりも小さいかどうか判断する（ＳＴ１９ｂ）。ここでのΔＴａｏは、「現在の供給空気ＳＡの吹出空気温度（吹出温度センサー２０ｃでの測定温度）―目標空気温度」を表している。制御基板は、ΔＴａｏの絶対値が目標値より大きいと判断した場合には（ＳＴ１９ｂ；Ｎｏ）、ΔＴａｏが小さくなるように流量調整装置１０ａと流量調整装置１０ｂとの流量比を制御する（ＳＴ１１０ｂ）。たとえば、ΔＴａｏが目標偏差量より大きい場合には流量調整装置１０ｂの開度比を大きくし（バイパス量大）、小さい場合には流量調整装置１０ａの開度比を大きくする（バイパス量小）ことで、ΔＴａｏの絶対値を小さくできる。それから、制御基板は、ΔＳＣｈの絶対値が予め設定してある所定の目標値よりも小さいかどうか判断する（ＳＴ１１１ｂ）。
【００９５】
一方、制御基板は、ΔＴａｏの絶対値が目標値よりも小さいと判断した場合（ＳＴ１９ｂ；Ｙｅｓ）には、ＳＴ１１０ｂを経ずに、ΔＳＣｈの絶対値が予め設定してある所定の目標値よりも小さいかどうか判断する（ＳＴ１１１ｂ）。ΔＳＣｈは、「現在の流量調整装置１０ｃ手前の過冷却度−目標過冷却度」を表している。流量調整装置１０ｃ手前の過冷却度は、第１冷媒温度センサー２１ａでの測定温度（凝縮温度）−第２冷媒温度センサー２１ｂでの測定温度から算出される。なお、凝縮温度は、吐出圧力センサーを別途設け、この飽和温度から求めるようにしてもよい。
【００９６】
制御基板は、ΔＳＣｈの絶対値が目標値より大きいと判断した場合には（ＳＴ１１１ｂ；Ｎｏ）、ΔＳＣｈが小さくなるように流量調整装置１０ｃの開度を制御する（ＳＴ１１２ｂ）。たとえば、ΔＳＣｈが目標偏差量より大きい場合には流量調整装置１０ｃの開度を大きくし、小さい場合には流量調整装置１０ｃの開度比を小さくすることで、ΔＳＣｈの絶対値を小さくできる。それから、制御基板は、ＳＴ１１に戻り同様の制御処理を繰り返す。一方、制御基板は、ΔＳＣｈの絶対値が目標値よりも小さいと判断した場合（ＳＴ１１１ｂ；Ｙｅｓ）には、ＳＴ１１２ｂを経ずに、ＳＴ１１に戻り同様の制御処理を繰り返す。
【００９７】
ところで、実施の形態２の冷媒回路においても実施の形態１の冷媒回路と同様に、第１外気処理熱交換器６ａと第２外気処理熱交換器６ｂのバイパス量を変更した場合には冷凍サイクル必要冷媒量が変化することになる（基本的な動作状態は実施の形態１に同じ）。この場合にも、冷媒量の変化分をアキュムレーター２で吸収することが可能となり、冷房モード及び暖房モードのいずれにおいても冷凍サイクルは適正な状態で運転することが可能となる。
【００９８】
この実施の形態２では、流量調整装置１０ｄを設けることにより、第１外気処理熱交換器６ａ及び第２外気処理熱交換器６ｂのバイパス運転が可能となり、加熱能力及び冷却能力の両方を細かく制御することが可能となる。こうすることによって、吹出温度センサー２０ｃでの測定温度をより正確に制御することができる。
【００９９】
この実施の形態２では、室外熱交換器５と第１外気処理熱交換器６ａとの中間に、第２外気処理熱交換器６ｂとバイパス回路（バイパス配管７ａと流量調整装置１０ｂ）を設ける構成とすることで、冷房モード及び暖房モードのいずれにおいても、両端に位置する熱交換器を蒸発器もしくは凝縮器として動作させ、中間に位置する熱交換器をバイパス回路により空調容量可変な蒸発器もしくは凝縮器として動作させることが可能となる。
【０１００】
加えて、実施の形態２の回路構成では、第１外気処理熱交換器６ａに対してもバイパス回路（バイパス配管７ｂと流量調整装置１０ｄ）を設けることにより、冷房であれば冷却能力を、暖房であれば加熱能力をよりきめ細かく制御することが可能となる。これにより、外気から導入する外気ＯＡの温度と湿度（主に冷房時）を調整し、供給空気ＳＡをより正確に制御して供給することができる。  
【０１０１】
この実施の形態２では、実施の形態１で説明した外気処理ユニット１００と同様に第１外気処理熱交換器６ａ、第２外気処理熱交換器６ｂ、及び、送風機４０等の要素部品をひとつの箱体に収めることにより、加熱と冷却の熱源と空気の吸込、吹出温湿度センサー類を一体化することが可能となる。これにより、装置全体での制御が容易となる。また、第１外気処理熱交換器６ａ及び第２外気処理熱交換器６ｂの各熱交換器の下に図示省略のドレンパンを設けることで、蒸発器となる熱交換器のドレン水を一括処理することが可能となる。
【０１０２】
なお、実施の形態２に係る空気調和装置Ｂにおいても、図６で説明した実施の形態１と同様に、外気処理ユニット１００ａの同じ位置から室内ユニットへの取り出し配管を設けることにより複数台数の室内ユニットを接続することが可能である。また、実施の形態１及び実施の形態２では、冷媒回路内を循環する冷媒の種類を特に限定するものではなく、たとえば二酸化炭素や炭化水素、ヘリウム等のような自然冷媒、ＨＦＣ４０７Ｃ等の代替冷媒のような塩素を含まない冷媒、もしくは既存の製品に使用されているＲ２２やＲ１３４ａ等のフロン系冷媒のいずれも使用することができる。また、圧縮機１は、レシプロ、ロータリー、スクロール、あるいは、スクリュー等の各種タイプのいずれのものを用いてもよい。
【符号の説明】
【０１０３】
１  圧縮機、２  アキュムレーター、３  四方弁、４  延長配管、４ａ  低圧管、４ｂ  高圧管、５  室外熱交換器、６ａ  第１外気処理熱交換器、６ｂ  第２外気処理熱交換器、７  バイパス配管、７ａ  バイパス配管、７ｂ  バイパス配管、１０ａ  流量調整装置、１０ｂ  流量調整装置、１０ｃ  流量調整装置、１０ｄ  流量調整装置、２０ａ  外気温度センサー、２０ｂ  通過空気温度センサー、２０ｃ  吹出温度センサー、２１ａ  第１冷媒温度センサー、２１ｂ  第２冷媒温度センサー、２１ｃ  第３冷媒温度センサー、２１ｄ  第４冷媒温度センサー、２１ｅ  第５冷媒温度センサー、２１ｆ  第６冷媒温度センサー、２１ｇ  第７冷媒温度センサー、２１ｈ  第１室内冷媒温度センサー、２１ｊ  第２室内冷媒温度センサー、２１ｋ  第３室内冷媒温度センサー、２１ｌ  第４室内冷媒温度センサー、３０ａ  外気湿度センサー、３０ｂ  吹出湿度センサー、４０  送風機、５０  室内熱交換器、５１  流量調整装置（室内流量調整装置）、９９  室外ユニット、１００  外気処理ユニット、１００ａ  外気処理ユニット、２００  室内ユニット、Ａ  空気調和装置、Ｂ  空気調和装置、ＯＡ  外気、ＳＡ  供給空気。
【図１】
2010203685.tif 000003
【図２】
2010203685.tif 000004
【図３】
2010203685.tif 000005
【図４】
2010203685.tif 000006
【図５】
2010203685.tif 000007
【図６】
2010203685.tif 000008
【図７】
2010203685.tif 000009
【図８】
2010203685.tif 000010
【図９】
2010203685.tif 000011